【事件の表示】
　平成１０年特許願第　５３９２３号「電子マネーシステム、電子マネーカード、電子マネー取引方法及び記録媒体」拒絶査定不服審判事件〔平成１０年１１月１７日出願公開、特開平１０−３０７８８５〕について、次のとおり審決する。
【結　論】
　本件審判の請求は、成り立たない。
【理　由】
１．手続の経緯
　本願は、平成１０年３月５日（優先権主張平成９年３月６日）の出願であって、平成１４年５月３０日付で拒絶査定がなされ、これに対し、同年７月１０日に拒絶査定に対する審判請求がなされるとともに、同年８月８日付で手続補正がなされたものである。
　
２．平成１４年８月８日付の手続補正についての補正却下の決定
［補正却下の決定の結論］
　　平成１４年８月８日付の手続補正を却下する。
［理由］
（１）補正について
　本件補正により、特許請求の範囲の請求項１は、
「金銭的価値を有する電子マネーを格納するＩＣカードと、該ＩＣカードを処理する端末と、を用いて取引を行う電子マネーシステムにおいて、
　該電子マネーシステムは、署名を必要とする署名付き支払いに使用するための第１の電子マネーを発行する第１の発行機関と、署名を必要としない署名無し支払いに使用するための第２の電子マネーを発行する第２の発行機関と、を備え、
　前記ＩＣカードは、前記第１の発行機関により発行された前記第１の電子マネーを記憶する第１の記憶手段と、前記第２の発行機関により発行された前記第２の電子マネーを記憶する第２の記憶手段と、支払金額に関わらず前記第１と第２の記憶手段のいずれか一方のみに記憶されている前記電子マネーを支払いに使用する電子マネーとして選択する選択手段と、を備える、
　ことを特徴とする電子マネーシステム。」
と補正され、特許請求の範囲の請求項３は、
「金銭的価値を有する電子マネーを格納するＩＣカードと、該ＩＣカードを処理する端末と、を用いて取引を行う電子マネーシステムにおいて、
　前記ＩＣカードは、
　自己の秘密鍵を有し、
　署名を付与する対象である第１の電子マネー情報を記憶する手段と、
　署名を付与する対象でない第２の電子マネー情報を記憶する手段と、
　署名を付与した電子マネー情報と署名を付与しない電子マネー情報のいずれか一方のみを支払いに使用する電子マネー情報として選択する選択手段と、
　前記選択手段により前記署名を付与した電子マネー情報が選択された場合、前記第１の電子マネー情報に前記秘密鍵で署名を付与し、支払い情報として前記端末に送信する第１の送信手段と、
　前記選択手段により前記署名を付与しない電子マネー情報が選択された場合、前記第２の電子マネー情報に署名を付与せずに支払情報として前記端末に送信する第２の送信手段と、を備え、
　前記端末は、
　前記ＩＣカードの公開鍵を取得する手段と、
　前記ＩＣカードからの前記支払情報を受信する手段と、
　前記支払情報が前記第１の電子マネー情報である場合、前記取得手段より取得した該ＩＣカードの公開鍵で前記第１の電子マネー情報に付与された前記署名を確認する手段と、
　前記支払情報を記憶する記憶手段と、を備える、
　ことを特徴とする電子マネーシステム。」
と補正され、、特許請求の範囲の請求項１４は、
「金銭的価値を有する電子マネーを格納するＩＣカードと、前記ＩＣカードを処理する取引端末と、前記取引端末と通信により接続されるセンタと、を備える電子マネーシステムにおいて、
　前記取引端末は、前記ＩＣカードの処理時において、前記ＩＣカードに設定されているグレードと、前記取引端末の種別と、取引金額と、取引時刻と、の少なくとも１つに基づいて、センタを介したオンライン処理と、センタを介さないオフライン処理と、のいずれかの処理形態を選択する選択手段を備え、
　前記ＩＣカードは、オンライン処理用の第１の電子マネーと、オフライン処理用の第２の電子マネーと、を格納し、
　前記選択手段は、前記オンライン処理を実行可能な状態であっても、前記センタとの間の通信形態及び通信状態の少なくとも１つが所定の条件を満たした場合には前記オフライン処理を選択し、
　前記選択手段は、オンライン処理を選択した場合、処理対象の前記ＩＣカードから前記第１の電子マネーを読み出して処理する手段と、オフライン処理を選択した場合、処理対象の前記ＩＣカードから前記第２の電子マネーを読み出して処理する手段と、を備える、
　ことを特徴とする電子マネーシステム。」
と補正され、特許請求の範囲の請求項１５は、
「金銭的価値を有する電子マネーの取引を行う電子マネーシステムにおいて使用される電子マネーカードであって、
　該電子マネーカードは、
　使用時に署名を付与する対象となる第１の電子マネーを記憶する第１の記憶手段と、
　使用時に署名を付与する対象とならない第２の電子マネーを記憶する第２の記憶手段と、
　前記第１の電子マネーと前記第２の電子マネーのいずれか一方のみを支払いに使用する電子マネーとして選択する選択手段と、
　前記選択手段により前記第１の電子マネーが選択された場合、前記第１の記憶手段から支払金額相当の前記第１の電子マネーを読み出して署名を付与し、支払先に送信する第１の送信手段と、
　前記選択手段により前記第２の電子マネーが選択された場合、前記第２の記憶手段から支払い金額相当の前記第２の電子マネーを読み出し、支払先に送信する第２の送信手段と、
　を備えることを特徴とする電子マネーカード。」
と補正され、特許請求の範囲の請求項２３は、
「金銭的価値を有する電子マネーを格納するＩＣカードを用いて取引を行う電子マネーシステムにおいて、
　前記ＩＣカードに、該ＩＣカードの秘密鍵を付与するステップと、
　前記ＩＣカードに、電子マネーを記憶する記憶ステップと、
　署名が付与された電子マネーと署名が付与されない電子マネーのいずれか一方のみを支払いに使用する電子マネーとして選択する選択ステップと、
　前記選択ステップにより、署名が付与された電子マネーが選択された場合、前記ＩＣカードから支払金額相当の前記電子マネーを読み出し、該ＩＣカードの前記秘密鍵で署名を付与して使用する第１使用ステップと、
　前記判別ステップにより、署名が付与されない電子マネーが選択された場合、前記ＩＣカードから支払金額相当の前記電子マネーを読み出し、署名を付与せずに使用する第２使用ステップと、を備える、
　ことを特徴とする電子マネー取引方法。」
と補正され、特許請求の範囲の請求項２６は、
「金銭的価値を有する電子マネーを格納するＩＣカードと、前記ＩＣカードを処理する取引端末と、前記取引端末と通信により接続されるセンタと、を備える電子マネーシステムにおける電子マネー取引方法であって、
　前記取引端末において、前記ＩＣカードの処理時に、外部からの指示と、前記ＩＣカードに設定されているグレードと、前記取引端末の種別と、取引金額と、取引時刻と、該取引端末と前記センタとの間の通信状態又は通信形態と、の少なくとも１つに基づいて、センタを介したオンライン処理と、センタを介さないオフライン処理と、のいずれかの処理形態を選択するステップを備え、
　前記選択ステップは、前記オンライン処理を実行可能な状態であっても、前記センタとの間の通信形態及び通信状態の少なくとも１つが所定の条件を満たした場合には前記オフライン処理を選択するステップと、オンライン処理を選択した場合、処理対象の前記ＩＣカードからオンライン処理用の電子マネーを読み出して処理するステップと、オフライン処理を選択した場合、処理対象の前記ＩＣカードからオフライン処理用の電子マネーを読み出して処理するステップと、を備える、
　ことを特徴とする電子マネー取引方法。」
と補正され、特許請求の範囲の請求項２７は、
「コンピュータを、複数の異なる形式の電子マネーを格納するＩＣカードと、該ＩＣカードを処理する取引端末と、を用いて取引を行う電子マネーシステムにおける前記取引端末として機能させるためのプログラムを記録したコンピュータ読み取り可能な記録媒体であって、
　該コンピュータを、外部からの指示と、前記ＩＣカードに設定されているグレードと、前記取引端末の種別と、取引金額と、取引時刻と、の少なくとも１つに基づいて、処理対象の前記ＩＣカードに記憶されている前記複数の異なる形式の電子マネーから、１つの形式の電子マネーのみを選択する手段、
　として機能させるためのプログラムを記録する記録媒体。」
と補正され、特許請求の範囲の請求項２８は、
「コンピュータを、署名を付与する対象となる第１の電子マネーと署名を付与する対象とならない第２の電子マネーのそれぞれを１つの形式として含む複数の異なる形式の電子マネーを格納する電子マネーカードと、該電子マネーカードを処理する取引端末と、を用いて取引を行う電子マネーシステムにおける前記電子マネーカードとして機能させるためのプログラムを記録したコンピュータ読み取り可能な記録媒体であって、
　該コンピュータを、外部からの指示と、前記電子マネーカードに設定されているグレードと、前記取引端末の種別と、取引金額と、取引時刻と、の少なくとも１つに基づいて、当該電子マネーカードに記憶されている前記複数の異なる形式の電子マネーから、１つの形式の電子マネーのみを使用対象の電子マネーとして選択する手段と、選択された前記電子マネーが前記第１の電子マネーである場合に該第１の電子マネーに署名を付与し、選択された前記電子マネーが前記第２の電子マネーである場合に該第２の電子マネーに署名を付与しない手段、
　として機能させるためのプログラムを記録する記録媒体。」
と補正された。
　上記請求項２８に係る補正は、「選択された前記電子マネーが前記第１の電子マネーである場合に該第１の電子マネーに署名を付与し、選択された前記電子マネーが前記第２の電子マネーである場合に該第２の電子マネーに署名を付与しない手段、」を追加する補正であり、補正前の請求項２８にかかる発明を特定する事項を限定するものではないので、当該補正は、特許法第１７条の２第４項第２号に掲げられた特許請求の範囲の減縮を目的とするものに該当するとは認められない。
　また、当該補正は、特許法第１７条の２第４項第１号に掲げられた請求項の削除、同３号に掲げられた誤記の訂正、同４号に掲げられた明りょうでない記載の釈明のいずれかを目的とするものとは認められない。
　本件補正は、特許法第１７条の２第４項の規定に違反するものであり、特許法第１５９条第１項で準用する特許法第５３条第１項の規定により却下されるべきものである。
　
３．本願発明について
　平成１４年８月８日付の手続補正は上記のとおり却下されたので、本願の請求項１に係る発明（以下「本願発明」という。）は、平成１４年４月４日付手続補正書の特許請求の範囲の請求項１に記載された事項により特定される、以下のとおりのものである。
「金銭的価値を有する電子マネーを格納するＩＣカードと、該ＩＣカードを処理する端末と、を用いて取引を行う電子マネーシステムにおいて、
　該電子マネーシステムは、署名を必要とする署名付き支払いに使用するための第１の電子マネーを発行する第１の発行機関と、署名を必要としない署名無し支払いに使用するための第２の電子マネーを発行する第２の発行機関と、を備え、
　前記ＩＣカードは、前記第１の発行機関により発行された前記第１の電子マネーを記憶する第１の記憶手段と、前記第２の発行機関により発行された前記第２の電子マネーを記憶する第２の記憶手段と、支払いに使用する前記電子マネーとして、前記第１と第２の記憶手段の少なくともいずれか一方に記憶されている前記電子マネーを選択する選択手段と、を備える、
　ことを特徴とする電子マネーシステム。」
　
４．引用例
　原査定の拒絶の理由に引用された特開平６−２０１１７号公報（以下「引用例１」という。）には、図面とともに、
（ａ）「【請求項１】少なくとも処理制御手段と、データを格納するための不揮発性メモリと、前記データを外部との間で送受信するための入出力手段とを備え、前記不揮発性メモリに格納されるデータが電気的に書き換え可能で、且つ前記入出力手段および前記処理制御手段を介してのみ外部からの読み出しおよび書き込みが可能であり、更に前記不揮発性メモリが、データの発行元による電子的な署名が付加された電子証書を格納するための領域を有するＩＣカード。
　【請求項２】不揮発性メモリが、データの発行元による電子的な署名が付加されないデータを格納するための領域を有することを特徴とする請求項１記載のＩＣカード。」（第２頁左欄第２行−同頁同欄第１４行）、
（ｂ）「【０００７】
【実施例】以下、本発明の一実施例について図面を参照しながら説明する。まず、図２に示すように、本実施例で扱われる電子紙幣２１は金額情報２２、管理番号２３およびデジタル署名２４から構成される。デジタル署名２４は、電子紙幣２１の発行業務を司る機関が金額情報２２と管理番号２３に対して秘密の演算処理を施したものであり、この発行機関のみが生成できる。また、少なくとも管理番号２３が変われば、これに対するデジタル署名２４も変化する。すなわち、正しい発行機関以外が電子紙幣２１を偽造または改ざんすることはできない。また、管理番号２３の一部としてユニークな連続番号を付与することにより、万一、電子紙幣２１が複製された場合、これを発見することが可能となる。」（第２頁右欄第１９行−同頁同欄第３２行）、
（ｃ）「【００１０】図１に示すようにＥＥＰＲＯＭ５は、ＩＣカードの内部処理で使用される情報（暗号鍵等）を格納するためのカード情報格納部６、図２の電子紙幣２１を格納するための電子紙幣格納部７および少額の金銭データを格納するための電子硬貨格納部８により構成される。電子紙幣格納部７は現在の札束入れに相当し、電子硬貨格納部８は小銭入れに相当するが、これらの使用方法について、図１、図２の他、図３を用いて以下に具体的に説明する。」（第３頁左欄第１２行−同頁同欄第２０行）、
（ｄ）「【００１３】カード受入装置３３の出金指示部３７は、２３００円をデータとして顧客のＩＣカード３１に出金の指示を出す。顧客のＩＣカード３１の端数処理部３８は、電子紙幣の最小単位である１０００円より小さい３００円を端数として扱い、この３００円が電子硬貨格納部８に格納されている７００円以下であるため減算処理を行い、差額の４００円を新しい小銭データとして電子硬貨格納部８に書き込む。電子硬貨格納部８に格納される小銭データは、電子紙幣２１のような管理番号２３やデジタル署名２４が付与されない金額情報のみである。したがって、この小銭データはＩＣカード内部で加減算の処理を加えることができる。
【００１４】次に電子紙幣消去部３９は、残る２０００円が電子紙幣格納部７に格納されている４０００円以下であることを確認し、電子紙幣格納部７に格納される２レコード分の電子紙幣を認証子付加部４０に送るとともに、電子紙幣格納部７から消去する。電子紙幣格納部７に格納される電子紙幣２１には、発行機関により管理番号２３やデジタル署名２４が付与されているため、ＩＣカード内で金額情報を加減算することはできない。したがって、支払いの際には電子紙幣そのものを電子紙幣格納部７から消去し、受取りの際には電子紙幣そのものを電子紙幣格納部７に追加書込みを行うといった処理を行う。」（第３頁右欄第１０行−同頁同欄第３３行）
との記載が認められる。
　また、引用例１の記載からみて、引用例発明において、「端数処理部（３８）及び電子貨幣消去部（３９）」は、支払金額に応じて、例えば、支払金額が端数のみの場合、支払金額が端数を含まない場合、支払金額が端数を含む場合などの状況に応じて、使用する電子貨幣として、「電子硬貨格納部（８）」と「電子紙幣格納部（７）」の少なくともいずれか一方に記憶されている電子貨幣を選択していると認める。
　これらの事項を考慮すると、引用例１には、
『金銭的価値を有する電子紙幣および電子硬貨を格納する「ＩＣカード（１１）」と、該「ＩＣカード（１１）」を処理する「カード受入装置（１２）」と、を用いて取引を行うシステムにおいて、
　該システムは、署名を必要とする署名付き支払いに使用するための電子紙幣を発行する発行機関を備え、
　前記「ＩＣカード（１１）」は、前記発行機関により発行された前記電子紙幣を記憶する「電子紙幣格納部（７）」と、電子硬貨を記憶する「電子硬貨記憶部（８）」と、支払いに使用する前記電子貨幣として、前記「電子紙幣格納部（７）」と「電子硬貨記憶部（８）」の少なくともいずれか一方に記憶されている前記電子貨幣を選択する「端数処理部（３８）」および「電子貨幣消去部（３９）」と、を備えるシステム。』
との発明（以下「引用例発明」という。）が記載されていると認められる。
　
５．対比
　引用例発明の「ＩＣカード（１１）」、「電子紙幣及び電子硬貨」、「カード受入装置（１２）」、「電子紙幣」、「電子硬貨」、「発行機関」、「電子紙幣格納部（７）」、「電子硬貨格納部（８）」、「端数処理部（３８）及び電子貨幣消去部（３９）」、「システム」は、それぞれ、本願発明の「ＩＣカード」、「電子マネー」、「端末」、「第１の電子マネー」、「第２の電子マネー」、「第１の発行機関」、「第１の記憶手段」、「第２の記憶手段」、「選択手段」、「電子マネーシステム」に相当すると認める。
　したがって、本願発明と引用例発明は、
「金銭的価値を有する電子マネーを格納するＩＣカードと、該ＩＣカードを処理する端末と、を用いて取引を行う電子マネーシステムにおいて、
　該電子マネーシステムは、署名を必要とする署名付き支払いに使用するための第１の電子マネーを発行する第１の発行機関を備え、
　前記ＩＣカードは、前記第１の発行機関により発行された前記第１の電子マネーを記憶する第１の記憶手段と、第２の電子マネーを記憶する第２の記憶手段と、支払いに使用する前記電子マネーとして、前記第１と第２の記憶手段の少なくともいずれか一方に記憶されている前記電子マネーを選択する選択手段と、を備える、
　ことを特徴とする電子マネーシステム。」
の点で一致し、以下の相違点で相違する。
（相違点）
　本願発明では、第２の発行機関が第２の電子マネーを発行しているのに対し、引用例発明では、第２の電子マネーを第２の発行機関が発行していることが明記されていない点。
　
６．当審における判断
　上記相違点について検討する。
　引用例発明において、第２の電子マネーを、第１の電子マネーと同様に、発行機関により発行することは当業者が当然考える事項であり、第２の電子マネーの発行機関を前記第１マネーの発行機関とは異ならせるか同じにするかは当業者が適宜選択できる設計的事項であるので、引用例発明において、第２のマネーを第２の発行機関で発行することは当業者が容易に考えられる事項である。
　したがって、上記相違点に係る本願発明の構成は、当業者が引用例１に基づいて容易に想到しえたものである。
　そして、本願補正発明の作用効果も、引用例１から当業者が予測できる範囲のものである。
　
７．むすび
　以上のとおり、本願発明は、引用例１に記載された発明に基づいて、当業者が容易に発明をすることができたものであるから、特許法第２９条第２項の規定により特許を受けることができない。
　
　よって、結論のとおり審決する。